(57)【要約】本発明は、無線通信システムに関するもので、具体的に、無線通信システムで基地局がＭＢＳデータに資源を割り当てる方法であって、ダウンリンク周波数帯域を複数の周波数区画に分割する段階と、前記ＭＢＳデータに前記複数の周波数区画のうち特定周波数区画の一つ以上のサブバンドを割り当てる段階と、前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる段階とを含む。【選択図】図１２
2011529320.tif 000002
【特許請求の範囲】
【請求項１】
無線通信システムで基地局がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データに資源を割り当てる方法であって、
ダウンリンク周波数帯域を複数の周波数区画に分割する段階と、
前記ＭＢＳデータに前記複数の周波数区画のうち特定周波数区画の一つ以上のサブバンドを割り当てる段階と、
前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる段階と、を含むＭＢＳデータのための資源割り当て方法。
【請求項２】
前記特定周波数区画は、最下位インデックスを有する、請求項１に記載のＭＢＳデータのための資源割り当て方法。
【請求項３】
前記特定周波数区画の前記一つ以上のサブバンドを割り当てる段階は、
前記特定周波数区画の最下位インデックスを有するサブバンドからサブバンドのインデックス順に、前記ＭＢＳデータに前記一つ以上のサブバンドを割り当てる段階を含む、請求項１に記載のＭＢＳデータのための資源割り当て方法。
【請求項４】
前記残りの周波数区画に含まれた前記一つ以上のサブバンドを一つのサブバンド単位で割り当てる段階は、
前記残りの周波数区画のインデックス順に前記残りの周波数区画に含まれた最下位インデックスを有する各サブバンドから、前記一つ以上のサブバンドを割り当てる段階を含む、請求項１に記載のＭＢＳデータのための資源割り当て方法。
【請求項５】
前記ＫＳＢ，Ｅ―ＭＢＳは、ＡＡＩ―Ｅ―ＭＢＳ＿ＣＦＧに含まれたＥ―ＭＢＳ＿ＳＵＢＢＡＮＤ＿ＩＮＤＩＣＡＴＯＲによって端末に伝送される、請求項１に記載のＭＢＳデータのための資源割り当て方法。
【請求項６】
各周波数区画で前記ＭＢＳデータのために前記割り当てられた各サブバンドに副搬送波パーミュテーションを行う段階をさらに含む、請求項１に記載のＭＢＳデータのための資源割り当て方法。
【請求項７】
ダウンリンク周波数帯域を複数の周波数区画に分割し、マルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データに前記複数の周波数区画のうち特定周波数区画の一つ以上のサブバンドを割り当てるプロセッサと、
前記割り当てられた一つ以上のサブバンドを用いて前記ＭＢＳデータを送信する送信モジュールと、を含み、
前記プロセッサは、
前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる、無線通信システムにおける基地局。
【請求項８】
無線通信システムで端末がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データを受信する方法であって、
前記ＭＢＳデータを送信するために要求されるサブバンドの個数に関する情報（ＫＳＢ，Ｅ―ＭＢＳ）を受信する段階と、
前記受信された情報を用いて前記ＭＢＳデータを受信する段階と、を含み、
複数の周波数区画のうち特定周波数区画に含まれた一つ以上のサブバンドから前記ＭＢＳデータを読み、
前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読む、ＭＢＳデータ受信方法。
【請求項９】
前記特定周波数区画は、最下位インデックスを有する、請求項８に記載のＭＢＳデータ受信方法。
【請求項１０】
前記ＭＢＳデータは、前記特定周波数区画の最下位インデックスサブバンドから読まれる、請求項８に記載のＭＢＳデータ受信方法。
【請求項１１】
前記ＭＢＳデータは、前記残りの周波数区画のインデックス順に、前記残りの周波数区画に含まれた最下位インデックスを有する各サブバンドから一つのサブバンド単位で読まれる、請求項８に記載のＭＢＳデータ受信方法。
【請求項１２】
前記ＫＳＢ，Ｅ―ＭＢＳは、ＡＡＩ―Ｅ―ＭＢＳ＿ＣＦＧに含まれたＥ―ＭＢＳ＿ＳＵＢＢＡＮＤ＿ＩＮＤＩＣＡＴＯＲによって端末に受信される、請求項８に記載のＭＢＳデータ受信方法。
【請求項１３】
基地局から複数の周波数区画を通してマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データを受信し、前記ＭＢＳデータを受信するために要求されるサブバンドの個数に関する情報（ＫＳＢ，Ｅ―ＭＢＳ）を受信する受信モジュールと、
前記複数の周波数区画のうち特定周波数区画に含まれた一つ以上のサブバンドから前記ＭＢＳデータを読むプロセッサと、を含み、
前記プロセッサは、
前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読む、無線通信システムにおける端末。
【発明の詳細な説明】
【技術分野】
【０００１】
本発明は、無線通信システムに関するものである。具体的に、本発明は、無線通信システムでのマルチキャスト及び／又はブロードキャストサービスデータのための資源割り当て方法及びそのための装置に関するものである。
【背景技術】
【０００２】
図１は、無線通信システムを例示する。図１を参照すると、無線通信システム１００は、複数の基地局１１０及び複数の端末１２０を含む。無線通信システム１００は、同種ネットワーク（ｈｏｍｏｇｅｎｅｏｕｓ  ｎｅｔｗｏｒｋ）又は異種ネットワーク（ｈｅｔｅｒｏｇｅｎｅｏｕｓ  ｎｅｔｗｏｒｋ）を含むことができる。ここで、異種ネットワークは、マクロセル、フェムトセル、ピコセル、中継器などのように互いに異なるネットワークエンティティが共存するネットワークをいう。基地局は、一般に端末と通信する固定局であり、各基地局１１０ａ、１１０ｂ及び１１０ｃは、特定の地理的領域１０２ａ、１０２ｂ及び１０２ｃにサービスを提供する。システム性能を改善するために、前記特定領域は複数のより小さい領域１０４ａ、１０４ｂ及び１０４ｃに分割される。それぞれのより小さい領域は、セル、セクタ又はセグメントと称される。ＩＥＥＥ  ８０２．１６システムの場合、セル識別子（Ｃｅｌｌ  Ｉｄｅｎｔｉｔｙ；Ｃｅｌｌ＿ＩＤ又はＩＤＣｅｌｌ）は全体のシステムを基準にして付与される。その一方、セクタ又はセグメント識別子は、それぞれの基地局がサービスを提供する特定領域を基準にして付与され、０〜２の値を有する。端末１２０は、一般に無線通信システムに分布され、固定又は移動可能である。各端末は、任意の瞬間にアップリンク（Ｕｐｌｉｎｋ；ＵＬ）及びダウンリンク（Ｄｏｗｎｌｉｎｋ；ＤＬ）を通して一つ以上の基地局と通信することができる。基地局と端末は、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＳＣ―ＦＤＭＡ（Ｓｉｎｇｌｅ  Ｃａｒｒｉｅｒ―ＦＤＭＡ）、ＭＣ―ＦＤＭＡ（Ｍｕｌｔｉ  Ｃａｒｒｉｅｒ―ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）又はこれらの組み合わせを用いて通信を行うことができる。本明細書において、アップリンクは端末から基地局への通信リンクを称し、ダウンリンクは基地局から端末への通信リンクを称する。
【発明の概要】
【発明が解決しようとする課題】
【０００３】
本発明の目的は、無線通信システムでのマルチキャスト及び／又はブロードキャストサービスデータのための資源割り当て方法及びそのための装置を提供することにある。
【０００４】
本発明で達成しようとする技術的課題は、上述した技術的課題に制限されず、言及していない他の技術的課題は、下記の記載から本発明の属する技術分野で通常の知識を有する者に明確に理解されるだろう。
【課題を解決するための手段】
【０００５】
前記のような課題を解決するための本発明の実施例は、無線通信システムで基地局がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データに資源を割り当てる方法であって、ダウンリンク周波数帯域を複数の周波数区画（Ｆｒｅｑｕｅｎｃｙ  Ｐａｒｔｉｔｉｏｎ）に分割する段階と、前記ＭＢＳデータに前記複数の周波数区画のうち特定の周波数区画の一つ以上のサブバンドを割り当てる段階と、前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる段階とを含む。前記特定周波数区画は、最下位インデックスを有することが望ましい。
【０００６】
より望ましくは、前記特定周波数区画の前記一つ以上のサブバンドを割り当てる段階は、前記特定周波数区画の最下位インデックスサブバンドからサブバンドのインデックス順に、前記ＭＢＳデータに前記一つ以上のサブバンドを割り当てる段階を含み、前記残りの周波数区画に含まれた前記一つ以上のサブバンドを一つのサブバンド単位で割り当てる段階は、前記残りの周波数区画のインデックス順に前記残りの周波数区画に含まれた最下位インデックスを有するそれぞれのサブバンドから、前記一つ以上のサブバンドを割り当てる段階を含む。
【０００７】
また、前記ＫＳＢ，Ｅ―ＭＢＳは、ＡＡＩ―Ｅ―ＭＢＳ＿ＣＦＧに含まれたＥ―ＭＢＳ＿ＳＵＢＢＡＮＤ＿ＩＮＤＩＣＡＴＯＲによって端末に伝送され、前記それぞれの周波数区画で前記割り当てられたＭＢＳデータのための各サブバンドの副搬送波パーミュテーション（Ｓｕｂｃａｒｒｉｅｒ  Ｐｅｒｍｕｔａｔｉｏｎ）を行う段階をさらに含むことを特徴とする。
【０００８】
また、前記のような課題を解決するための本発明の他の実施例は、無線通信システムにおける基地局であって、ダウンリンク周波数帯域を複数の周波数区画に分割し、ＭＢＳデータに前記複数の周波数区画のうち特定周波数区画の一つ以上のサブバンドを割り当てるプロセッサと、前記割り当てられた一つ以上のサブバンドを用いて前記ＭＢＳデータを送信する送信モジュールとを含み、前記プロセッサは、前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てることを特徴とする。
【０００９】
また、前記のような課題を解決するための本発明の実施例は、無線通信システムで端末がＭＢＳデータを受信する方法であって、前記ＭＢＳデータを送信するために要求されるサブバンドの個数に関する情報（ＫＳＢ，Ｅ―ＭＢＳ）を受信する段階と、前記受信された情報を用いて前記ＭＢＳデータを受信する段階とを含み、複数の周波数区画のうち特定周波数区画に含まれた一つ以上のサブバンドから前記ＭＢＳデータを読み、前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読むことを特徴とする。前記前記特定周波数区画は、最下位インデックスを有することが望ましい。
【００１０】
前記ＭＢＳデータは、前記特定周波数区画の最下位インデックスサブバンドから読まれ、前記残りの周波数区画のインデックス順に、前記残りの周波数区画に含まれた最下位インデックスを有する各サブバンドから一つのサブバンド単位で読まれることを特徴とする。
【００１１】
また、前記のような課題を解決するための本発明の他の実施例は、無線通信システムにおける端末であって、基地局から複数の周波数区画を通してＭＢＳデータを受信し、前記ＭＢＳデータを受信するために要求されるサブバンドの個数に関する情報（ＫＳＢ，Ｅ―ＭＢＳ）を受信する受信モジュールと、前記複数の周波数区画のうち特定周波数区画に含まれた一つ以上のサブバンドから前記ＭＢＳデータを読むプロセッサとを含み、前記プロセッサは、前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読むことを特徴とする。
【発明の効果】
【００１２】
本発明によると、無線通信システムでのマルチキャスト及び／又はブロードキャストサービスデータのための資源を効率的に割り当てることができる。
【００１３】
本発明で得られる効果は、上述した各効果に制限されず、言及していない他の効果は、下記の記載から本発明の属する技術分野で通常の知識を有する者に明確に理解されるだろう。
【図面の簡単な説明】
【００１４】
【図１】無線通信システムを例示する図である。
【図２】無線通信システムでの周波数上のチャンネル変化を例示する図である。
【図３】ＯＦＤＭＡ及びＳＣ―ＦＤＭＡのための送信機及び受信機を例示するブロック図である。
【図４】ＩＥＥＥ  ８０２．１６ｍシステムの無線フレーム構造を例示する図である。
【図５】ＩＥＥＥ  ８０２．１６ｍシステムでのデュプレックス（ｄｕｐｌｅｘ）モードによるスーパーフレームの構造を示す図である。
【図６】ＩＥＥＥ  ８０２．１６ｍシステムでのサブフレームの物理的構造の例を示す図である。
【図７】ＩＥＥＥ  ８０２．１６ｍシステムでの伝送チェーンを例示するブロック図である。
【図８】資源ユニットをマッピングする過程を例示する図である。
【図９】副チャンネル化過程を例示する図である。
【図１０】一般的な周波数区画方法を示す図である。
【図１１】本発明の実施例によってＥ―ＭＢＳデータにＦＰ０の各サブバンドを割り当てる方法を例示する図である。
【図１２】本発明の実施例によってＥ―ＭＢＳデータのための資源として複数の周波数区画に含まれたサブバンドを割り当てる方法を説明するための図である。
【図１３】本発明の実施例によってＥ―ＭＢＳデータにＦＰ０の各ミニバンドを割り当てる方法を例示する図である。
【図１４】本発明の実施例によってＥ―ＭＢＳデータにＦＰ０のサブバンド及びミニバンドにわたった各周波数資源を割り当てる方法を例示する図である。
【図１５】本発明の実施例によってＥ―ＭＢＳデータが送信されるサブフレームにＡＣＫ／ＮＡＣＫチャンネルのための資源領域を割り当てる方法を示す図である。
【図１６】本発明の一実施例に係る送信機及び受信機を例示するブロック図である。
【発明を実施するための形態】
【００１５】
添付の図面を参照して説明する本発明の好適な実施例を通して、本発明の構成、作用及び他の特徴が容易に理解されるだろう。以下で説明する実施例は、本発明の技術的特徴が複数の直交副搬送波を使用するシステムに適用された各例である。説明の便宜上、本発明はＩＥＥＥ  ８０２．１６システムを用いて説明するが、これは例示に過ぎなく、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）システムを含む多様な無線通信システムに適用される。
【００１６】
図３は、ＯＦＤＭＡ及びＳＣ―ＦＤＭＡのための送信機及び受信機を例示するブロック図である。アップリンクでは、送信機は端末の一部で、受信機は基地局の一部であり、ダウンリンクでは、送信機は基地局の一部で、受信機は端末の一部である。
【００１７】
図３を参照すると、ＯＦＤＭＡ送信機は、直／並列変換器２０２、副搬送波マッピングモジュール２０６、Ｍ―ポイントＩＤＦＴ（Ｉｎｖｅｒｓｅ  Ｄｉｓｃｒｅｔｅ  Ｆｏｕｒｉｅｒ  Ｔｒａｎｓｆｏｒｍ）モジュール２０８、循環前置（Ｃｙｃｌｉｃ  ｐｒｅｆｉｘ；ＣＰ）付加モジュール２１０、並／直列変換器２１２及びＲＦ（Ｒａｄｉｏ  Ｆｒｅｑｕｅｎｃｙ）／ＤＡＣ（Ｄｉｇｉｔａｌ  ｔｏ  Ａｎａｌｏｇ  Ｃｏｎｖｅｒｔｅｒ）モジュール２１４を含む。
【００１８】
以下、ＯＦＤＭＡ送信機での信号処理過程を説明する。まず、ビットストリームがデータシンボルシーケンスに変調される。ビットストリームは、媒体接続制御（Ｍｅｄｉｕｍ  Ａｃｃｅｓｓ  Ｃｏｎｔｒｏｌ；ＭＡＣ）階層から伝達されたデータブロックにチャンネル符号化、インターリービング、スクランブリングなどの多様な信号処理を行うことによって得られる。ビットストリームは、コードワードとも称され、ＭＡＣ階層から受けるデータブロックと等価である。ＭＡＣ階層から受けるデータブロックは、伝送ブロックとも称される。変調方式は、これに制限されるものでないが、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、ｎ―ＱＡＭ（Ｑｕａｄｒａｔｕｒｅ  Ａｍｐｌｉｔｕｄｅ  Ｍｏｄｕｌａｔｉｏｎ）を含むことができる。その後、直列のデータシンボルシーケンスはＮ個ずつ並列に変換される（２０２）。Ｎ個のデータシンボルは、全体のＭ個の副搬送波のうち割り当てられたＮ個の副搬送波にマッピングされ、残ったＭ−Ｎ個の搬送波は０でパディングされる（２０６）。周波数領域にマッピングされたデータシンボルは、Ｍ―ポイントＩＤＦＴ処理を通して時間領域シーケンスに変換される（２０８）。その後、シンボル間干渉（Ｉｎｔｅｒ―Ｓｙｍｂｏｌ  Ｉｎｔｅｒｆｅｒｅｎｃｅ；ＩＳＩ）と副搬送波間干渉（Ｉｎｔｅｒ―Ｃａｒｒｉｅｒ  Ｉｎｔｅｒｆｅｒｅｎｃｅ；ＩＣＩ）を減少させるために、前記時間領域シーケンスに循環前置を加えることによってＯＦＤＭＡシンボルを生成する（２１２）。生成されたＯＦＤＭＡシンボルは、並列から直列に変換される（２１０）。その後、ＯＦＤＭＡシンボルは、デジタル対アナログ変換、周波数アップリンク変換などの過程を経て受信機に伝送される（２１４）。他のユーザーには、残ったＭ−Ｎ個の副搬送波のうち可用の副搬送波が割り当てられる。その一方、ＯＦＤＭＡ受信機は、ＲＦ／ＡＤＣ（Ａｎａｌｏｇ  ｔｏ  Ｄｉｇｉｔａｌ  Ｃｏｎｖｅｒｔｅｒ）モジュール２１６、直／並列変換器２１８、循環前置除去モジュール２２２、Ｍ―ポイントＤＦＴ（Ｄｉｓｃｒｅｔｅ  Ｆｏｕｒｉｅｒ  Ｔｒａｎｓｆｏｒｍ）モジュール２２４、副搬送波デマッピング／等化モジュール２２６、並／直列変換器２３０及び検出モジュールを含む。ＯＦＤＭＡ受信機の信号処理過程は、ＯＦＤＭＡ送信機の場合とは逆に構成される。
【００１９】
一方、ＳＣ―ＦＤＭＡ送信機は、ＯＦＤＭＡ送信機に比べると、副搬送波マッピングモジュール２０６の前にＮ―ポイントＤＦＴモジュール２０４をさらに含む。ＳＣ―ＦＤＭＡ送信機は、ＩＤＦＴ処理前にＤＦＴを通して複数のデータを周波数領域に拡散させ、送信信号のＰＡＰＲ（Ｐｅａｋ―ｔｏ―Ａｖｅｒａｇｅ  Ｐｏｗｅｒ  Ｒａｔｉｏ）をＯＦＤＭＡ方式の場合よりも大きく減少させることができる。ＳＣ―ＦＤＭＡ受信機は、ＯＦＤＭＡ受信機に比べると、副搬送波デマッピングモジュール２２６の後にＮ―ポイントＩＤＦＴモジュール２２８をさらに含む。ＳＣ―ＦＤＭＡ受信機の信号処理過程は、ＳＣ―ＦＤＭＡ送信機の場合とは逆に構成される。
【００２０】
図３で例示したモジュールは説明のためのもので、送信機及び／又は受信機は必要なモジュールをさらに含むことができ、一部のモジュール／機能は、省略されたり、互いに異なるモジュールに分離されてもよく、二つ以上のモジュールが一つのモジュールに統合されてもよい。
【００２１】
図４は、ＩＥＥＥ  ８０２．１６ｍシステムの無線フレーム構造を例示する図である。無線フレーム構造は、ＦＤＤ（Ｆｒｅｑｕｅｎｃｙ  Ｄｉｖｉｓｉｏｎ  Ｄｕｐｌｅｘ）、Ｈ―ＦＤＤ（Ｈａｌｆ  Ｆｒｅｑｕｅｎｃｙ  Ｄｉｖｉｓｉｏｎ  Ｄｕｐｌｅｘ）、ＴＤＤ（Ｔｉｍｅ  Ｄｉｖｉｓｉｏｎ  Ｄｕｐｌｅｘ）などに適用される。
【００２２】
図４を参照すると、無線フレーム構造は、５ＭＨｚ、８．７５ＭＨｚ、１０ＭＨｚ又は２０ＭＨｚ帯域幅をサポートする２０ｍｓスーパーフレームＳＵ０〜ＳＵ３を含む。スーパーフレームは、同一の大きさを有する４個の５ｍｓフレームＦ０〜Ｆ３を含み、スーパーフレームヘッダ（Ｓｕｐｕｅｒ  Ｆｒａｍｅ  Ｈｅａｄｅｒ；ＳＦＨ）から開示する。スーパーフレームヘッダは、必須システムパラメータ及びシステム設定情報を運ぶ。スーパーフレームヘッダは、１番目のサブフレーム内に位置することができる。スーパーフレームヘッダは、Ｐ―ＳＦＨ（ｐｒｉｍａｒｙ―ＳＦＨ）及びＳ―ＳＦＨ（ｓｅｃｏｎｄａｒｙ―ＳＦＨ）に分類される。Ｐ―ＳＦＨ及びＳ―ＳＦＨはスーパーフレームごとに伝送される。スーパーフレームヘッダは、ブロードキャストチャンネルを含むことができる。
【００２３】
フレームは、８個のサブフレームＳＦ０〜ＳＦ７を含む。サブフレームは、ダウンリンク又はアップリンク伝送に割り当てられる。サブフレームは、時間領域で複数のＯＦＤＭシンボルを含み、周波数領域で複数の副搬送波を含む。ＯＦＤＭシンボルは、多重接続方式によってＯＦＤＭＡシンボル、ＳＣ―ＦＤＭＡシンボルなどと称される。サブフレームに含まれるＯＦＤＭシンボルの数は、チャンネル帯域幅、ＣＰの長さによって多様に変更可能である。サブフレームのタイプは、サブフレームに含まれるＯＦＤＭシンボルの数によって定義される。例えば、タイプ―１サブフレームは６ＯＦＤＭシンボルを含み、タイプ―２サブフレームは７ＯＦＤＭシンボルを含み、タイプ―３サブフレームは５ＯＦＤＭシンボルを含み、タイプ―４サブフレームは９ＯＦＤＭシンボルを含むものとして定義される。一つのフレームは、全て同一タイプのサブフレームを含むか、互いに異なるタイプのサブフレームを含むことができる。
【００２４】
ＯＦＤＭシンボルは複数の副搬送波を含み、ＦＦＴ（Ｆａｓｔ  Ｆｏｕｒｉｅｒ  Ｔｒａｎｓｆｏｒｍ）の大きさによって副搬送波の個数が決定される。副搬送波の類型は、データ伝送のためのデータ副搬送波、チャンネル測定のためのパイロット副搬送波、ガードハンド（ｇｕａｒｄ  ｂａｎｄ）及びＤＣ成分のためのナル（ｎｕｌｌ）副搬送波に分けられる。ＯＦＤＭシンボルを特徴付けるパラメータは、ＢＷ、Ｎｕｓｅｄ、ｎ、Ｇなどである。ＢＷは、名目上のチャンネル帯域幅（ｎｏｍｉｎａｌ  ｃｈａｎｎｅｌ  ｂａｎｄｗｉｄｔｈ）である。Ｎｕｓｅｄは、信号伝送に使用される副搬送波の個数である。ｎは、サンプリング因子で、ＢＷ及びＮｕｓｅｄと共に副搬送波スペーシング及び有効シンボル時間を決定する。Ｇは、ＣＰ時間と有効時間の比率である。
【００２５】
表１は、ＯＦＤＭＡパラメータの例を示す。
【００２６】
【表１】
2011529320.tif 000003
サブフレームは、周波数領域で複数の物理資源ユニット（Ｐｈｙｓｉｃａｌ  Ｒｅｓｏｕｒｃｅ  Ｕｎｉｔ；ＰＲＵ）を含む。ＰＲＵは、資源割り当てのための基本単位であって、時間領域での複数の連続したＯＦＤＭシンボル及び周波数領域での複数の連続した副搬送波で構成される。一例として、ＰＲＵ内のＯＦＤＭシンボルの数は、サブフレームに含まれるＯＦＤＭシンボルの数と同一である。したがって、ＰＲＵ内のＯＦＤＭシンボルの数は、サブフレームのタイプによって決定される。一方、ＰＲＵ内の副搬送波の数は１８であってもよい。この場合、ＰＲＵは、６ＯＦＤＭシンボル×１８副搬送波で構成される。ＰＲＵは、資源割り当て方式によって分散資源ユニット（Ｄｉｓｔｒｉｂｕｔｅｄ  Ｒｅｓｏｕｒｃｅ  Ｕｎｉｔ；ＤＲＵ）又は連続資源ユニット（Ｃｏｎｔｉｇｕｏｕｓ  Ｒｅｓｏｕｒｃｅ  Ｕｎｉｔ；ＣＲＵ）と称される。
【００２７】
上述した構造は例示に過ぎない。したがって、スーパーフレームの長さ、スーパーフレームに含まれるフレームの数、フレームに含まれるサブフレームの数、サブフレームに含まれるＯＦＤＭＡシンボルの数、ＯＦＤＭＡシンボルのパラメータなどは多様に変更可能である。一例として、フレームに含まれるサブフレームの数は、チャンネル帯域幅、ＣＰ（ｃｙｃｌｉｃ  ｐｒｅｆｉｘ）の長さによって多様に変更される。
【００２８】
図５は、ＩＥＥＥ  ８０２．１６ｍシステムでのデュプレックスモードによるスーパーフレームの構造を示す。本実施例は、ＩＥＥＥ  ８０２．１６ｍ専用モードの場合を仮定する。
【００２９】
図５を参照すると、ＦＤＤモードでダウンリンク伝送及びアップリンク伝送が周波数によって区分されるので、フレームは、ダウンリンクサブフレームＤ又はアップリンクサブフレームＵのうち一つのみを含む。ＦＤＤモードの場合、毎フレームの端に休止時間が存在するようになる。その一方、ＴＤＤモードでダウンリンク伝送及びアップリンク伝送が時間によって区分されるので、フレーム内のサブフレームは、ダウンリンクサブフレームＤとアップリンクサブフレームＵに区分される。ダウンリンクからアップリンクに変更される間にはＴＴＧ（Ｔｒａｎｓｍｉｔ／ｒｅｃｅｉｖｅ  Ｔｒａｎｓｉｔｉｏｎ  Ｇａｐ）と称される休止時間が存在し、アップリンクからダウンリンクに変更される間にはＲＴＧ（Ｒｅｃｅｉｖｅ／ｔｒａｎｓｍｉｔ  Ｔｒａｎｓｉｔｉｏｎ  Ｇａｐ）と称される休止時間が存在する。ＩＥＥＥ  ８０２．１６ｍシステムで、ダウンリンク同期チャンネルは主同期チャンネル及び副同期チャンネルを含み、主同期チャンネルはＰＡ―プリアンブル（Ｐｒｉｍａｒｙ  Ａｄｖａｎｃｅｄ  Ｐｒｅａｍｂｌｅ）で構成され、副同期チャンネルはＳＡ―プリアンブル（Ｓｅｃｏｎｄａｒｙ  Ａｄｖａｎｃｅｄ  Ｐｒｅａｍｂｌｅ）で構成される。ＰＡ―プリアンブルは、時間／周波数同期及び部分セル識別子、システム情報などの情報を獲得するのに使用される。ＳＡ―プリアンブルは、最終的な物理セル識別子を獲得するのに使用され、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）測定などの用途にも使用される。
【００３０】
図６は、ＩＥＥＥ  ８０２．１６ｍシステムでのサブフレームの物理的構造の例を示す。
【００３１】
図６を参照すると、サブフレームは、少なくとも一つの周波数区画（Ｆｒｅｑｕｅｎｃｙ  Ｐａｒｔｉｔｉｏｎ；ＦＰ）に分けられる。図６は、サブフレームが２個の周波数区画に分けられる場合を例示しているが、周波数区画の数がこれに制限されることはない。周波数区画は、ＦＦＲ（Ｆｒａｃｔｉｏｎａｌ  Ｆｒｅｑｕｅｎｃｙ  Ｒｅｕｓｅ）などの目的のために使用される。
【００３２】
各周波数区画は一つ以上のＰＲＵを含む。各周波数区画には、分散的資源割り当て及び／又は連続的資源割り当てが適用される。論理資源ユニット（Ｌｏｇｉｃａｌ  Ｒｅｓｏｕｒｃｅ  Ｕｎｉｔ；ＬＲＵ）は、分散的資源割り当て及び連続的資源割り当てのための基本論理単位である。ＬＤＲＵ（Ｌｏｇｉｃａｌ  Ｄｉｓｔｒｉｂｕｔｅｄ  Ｒｅｓｏｕｒｃｅ  Ｕｎｉｔ）は、周波数帯域内に分散された複数の副搬送波Ｓｃを含む。ＬＤＲＵの大きさは、ＰＲＵの大きさと同一である。ＬＤＲＵは、分散ＬＲＵ（Ｄｉｓｔｒｉｂｕｔｅｄ  ＬＲＵ；ＤＬＲＵ）とも称される。ＬＣＲＵ（Ｌｏｇｉｃａｌ  Ｃｏｎｔｉｇｕｏｕｓ  Ｒｅｓｏｕｒｃｅ  Ｕｎｉｔ）は、連続した副搬送波Ｓｃを含む。ＬＣＲＵの大きさは、ＰＲＵの大きさと同一である。ＬＣＲＵは、連続ＬＲＵ（Ｃｏｎｔｉｇｕｏｕｓ  ＬＲＵ；ＣＬＲＵ）とも称される。
【００３３】
図７は、ＩＥＥＥ  ８０２．１６ｍシステムでの伝送チェーンを例示するブロック図である。
【００３４】
図７を参照すると、ＭＡＣブロック７０２は、上位階層データからＭＡＣデータを構成する。ＭＡＣデータの大きさは、ＴＴＩ（Ｔｒａｎｓｍｉｓｓｉｏｎ  Ｔｉｍｅ  Ｉｎｔｅｒｖａｌ）単位でスケジューリングされる。ＭＡＣデータは、伝送ブロックとも称され、以降の過程でのコードワードに対応する。ＦＥＣ（Ｆｏｒｗａｒｄ  Ｅｒｒｏｒ  Ｃｏｒｒｅｃｔｉｏｎ）ブロック７０４は、ＭＡＣデータにチャンネルコーディングを行う。チャンネルコーディングは、ＴＣ（Ｔｕｒｂｏ  Ｃｏｄｉｎｇ）、ＣＴＣ（Ｃｏｎｖｏｌｕｔｉｏｎａｌ  Ｔｕｒｂｏ  Ｃｏｄｉｎｇ）、ＬＤＰＣ（Ｌｏｗ  Ｄｅｎｓｉｔｙ  Ｐａｒｉｔｙ  Ｃｈｅｃｋ）などを用いて行われるが、本発明がこれに制限されることはない。符号化されたデータは、コードワード又は符号化されたパケットデータと称される。Ｍｏｄ（Ｍｏｄｕｌａｔｉｏｎ）ブロック７０６は、符号化されたデータを変調する。データ変調は、ｎ―ＰＳＫ（Ｐｈａｓｅ  Ｓｈｉｆｔ  Ｋｅｙｉｎｇ）、ｎ―ＱＡＭ（Ｑｕａｄｒａｔｕｒｅ  Ａｍｐｌｉｔｕｄｅ  Ｍｏｄｕｌａｔｉｏｎ）などの変調技法を用いて行われるが（ｎは整数）、本発明がこれに制限されることはない。ＬＲＵ割り当てブロック７０８は、変調されたシンボルをＬＲＵ大きさのセグメントに分けた後、それぞれのセグメントをＬＲＵに割り当てる。マッピングブロック７１０は、ＬＲＵをデータバーストにマッピングする。データバーストは、物理的周波数領域でＰＲＵに割り当てられる。したがって、マッピングブロック７１０は、ＬＲＵとＰＲＵとの間のマッピング関係によって変調されたデータを副搬送波にマッピングする機能を行う。ＩＦＦＴ／ＣＰブロック７１２は、周波数領域信号を逆フーリエ変換することによって時間領域信号に変換し、時間領域信号に循環前置を付加することによってＯＦＤＭＡシンボルを生成する。
【００３５】
図８は、資源ユニットをマッピングする過程を例示する。
【００３６】
図８を参照すると、物理周波数資源に対して外部パーミュテーション（Ｏｕｔｅｒ  Ｐｅｒｍｕｔａｔｉｏｎ）が行われる。外部パーミュテーションは、少なくとも一つ以上のＰＲＵ単位で適用される。外部パーミュテーションは、Ｎ１又はＮ２個のＰＲＵ単位で行われ（Ｎ１＞Ｎ２）、Ｎ１とＮ２は帯域幅によって変化可能である。ただし、効率的な外部パーミュテーションのために、Ｎ１がＮ２の整数倍になる必要がある。外部パーミュテーションは、サブバンド分割、ミニバンドパーミュテーションのように、ＰＲＵをサブバンド（ＳＢ）ＰＲＵ（以下、ＰＲＵＳＢ）とミニバンド（ＭＢ）ＰＲＵ（以下、ＰＲＵＭＢ）に区分し、ミニバンドＰＲＵに対してＰＲＵ単位のパーミュテーションを行う過程を意味する。ＰＲＵＳＢはサブバンドに割り当てられるＰＲＵで、ＰＲＵＭＢはミニバンドに割り当てられるＰＲＵである。前記過程で、Ｎ１はサブバンドに含まれたＰＲＵの個数を示し、Ｎ２はミニバンドに含まれたＰＲＵの個数を示す。
【００３７】
次に、再配列されたＰＲＵを各周波数区画に分散させる。それぞれの周波数区画は、ＬＣＲＵ（Ｌｏｇｉｃａｌ  ＣＲＵ）及びＬＤＲＵ（Ｌｏｇｉｃａｌ  ＤＲＵ）に分けられる。セクタ特定パーミュテーション（Ｓｅｃｔｏｒ  Ｓｐｅｃｉｆｉｃ  Ｐｅｒｍｕｔａｔｉｏｎ）がサポートされ、資源の直接的なマッピングが連続的資源に対してサポートされる。分散／連続資源の大きさは、セクタ当たりに柔軟に設定される。
【００３８】
次に、連続的グループ及び分散的グループはＬＲＵにマッピングされる。分散的資源割り当てに対して定義された内部パーミュテーション（又は副搬送波パーミュテーション）は、全体の分散的資源内に副搬送波を拡散させる。連続的資源割り当てに対する内部パーミュテーションはない。ＰＲＵは、各周波数区画内で連続的資源ユニットに直接マッピングされる。
【００３９】
一方、部分的周波数再使用（Ｆｒａｃｔｉｏｎａｌ  Ｆｒｅｑｕｅｎｃｙ  Ｒｅｕｓｅ；ＦＦＲ）技法が使用される。ＦＦＲ技法は、全体の周波数帯域を複数の周波数区画（Ｆｒｅｑｕｅｎｃｙ  Ｐａｒｔｉｔｉｏｎ；ＦＰ）に分割し、それぞれのセルに周波数区画を割り当てる技法である。ＦＦＲ技法を通して、隣接したセル間には互いに異なる周波数区画が割り当てられ、遠く離れたセル間には同一の周波数区画が割り当てられる。したがって、セル間干渉が減少し、セルの縁部に位置する端末の性能を高めることができる。
【００４０】
また、全体の周波数帯域を複数の周波数区画に分割するとき、セル間で共通に使用する周波数再使用因子（Ｆｒｅｑｕｅｎｃｙ  Ｒｅｕｓｅ  Ｆａｃｔｏｒ）が１である領域が存在する場合と存在しない場合に分けて行うことができる。周波数再使用因子が１である領域は、全てのセルが共通に使用する周波数領域を意味する。
【００４１】
全ての周波数帯域を４個の周波数区画に分割するとき、各周波数区画の周波数再使用因子はそれぞれ１、１／３、１／３、１／３になる。この場合、周波数再使用因子が１である周波数区画は１番目のインデックスの周波数区画ＦＰ０になり、周波数再使用因子が１／３である各周波数区画はそれぞれＦＰ１、ＦＰ２及びＦＰ３になる。
【００４２】
一方、全ての周波数帯域を３個の周波数区画に分割するとき、各周波数区画の周波数再使用因子はそれぞれ１／３になり、各周波数区画はそれぞれＦＰ１、ＦＰ２及びＦＰ３になる。すなわち、全ての周波数帯域は、周波数再使用因子が１である領域なしに３個の周波数区画に分割される。
【００４３】
図９は、副チャンネル化過程を例示する。副チャンネル化のために考慮すべき各事項があり、これら事項は、例えば、ＤＲＵ及びＣＲＵの性能、資源割り当てのためのシグナリングオーバーヘッド、ＣＱＩ（Ｃｈａｎｎｅｌ  Ｑｕａｌｉｔｙ  Ｉｎｄｉｃａｔｏｒ）フィードバックオーバーヘッド、分散的資源と連続的資源との間の比率の柔軟性、帯域幅（ＢＷ）によるスケーリングの容易性、資源割り当て順序設計の容易性、ＦＦＲ設定の容易性などである。説明の便宜上、全体の周波数帯域が１０ＭＨｚで、全体のＰＲＵ個数が４８個で、Ｎ１＝４で、Ｎ１のグラニュラリティを有するサブバンドの個数（ＮＮ１）が６で、Ｎ２＝１で、Ｎ２のグラニュラリティを有するミニバンドの個数（ＮＮ２）が２４である場合を例示する。
【００４４】
図９を参照すると、物理領域でのＰＲＵはＮ１のグラニュラリティの外部パーミュテーションを通して論理領域であるサブバンドＰＲＵ又はミニバンドＰＲＵに区分され、ミニバンドＰＲＵに対してＮ２のグラニュラリティでパーミュテーションが行われる（Ｓ９００）。
【００４５】
サブバンドＰＲＵ又はミニバンドＰＲＵは各周波数区画に分散され、各周波数区画内で連続資源Ｌと分散資源Ｄを区分するパーミュテーションが行われる（Ｓ９１０）。サブバンドＰＲＵ又はミニバンドＰＲＵを各周波数区画に分散する過程は、段階Ｓ９００の外部パーミュテーション過程に含まれて行われたり、独立して行われる。前記過程が独立して行われる場合は、ＳＦＨを通してブロードキャストされる周波数区画情報に基づいて行われたり、別途の分散規則に基づいて行われる。分散資源に対してダイバーシティ利得を得るために、追加的に内部パーミュテーションが行われる（Ｓ９２０）。
【００４６】
Ｅ―ＭＢＳ（Ｅｎｈａｎｃｅｄ―Ｍｕｌｔｉｃａｓｔ  Ｂｒｏａｄｃａｓｔ  Ｓｅｒｖｉｃｅ）データがユニキャストデータと多重化されて伝送される環境を考慮すると、多重化方式によってＥ―ＭＢＳデータのための資源割り当て方法が変わり、これとともにチャンネル推定方式も変わるようになる。チャンネル推定方式によってＥ―ＭＢＳチャンネル推定のためのパイロット割り当て方法も変わるべきである。この場合、考慮できる多重化方法としては、一般に、ＴＤＭ（Ｔｉｍｅ―Ｄｉｖｉｓｉｏｎ  Ｍｕｌｔｉｐｌｅｘｉｎｇ）、ＦＤＭ（Ｆｒｅｑｕｅｎｃｙ―Ｄｉｖｉｓｉｏｎ  Ｍｕｌｔｉｐｌｅｘｉｎｇ）形態の二つの方法があり、さらに、ＴＤＭとＦＤＭが同時にサポートされるハイブリッド形態の方法も可能である。
【００４７】
ＴＤＭ方式を使用する場合、基本資源割り当て単位である一つ以上のサブフレーム全体にＥ―ＭＢＳデータを割り当てるので、全体の周波数領域のパイロット信号を用いてチャンネル推定情報を獲得することができる。これは、チャンネル推定性能向上を促進する。
【００４８】
これと異なり、ＦＤＭ方式で多重化する場合、パーミュテーション方式によってＥ―ＭＢＳチャンネル推定単位が変わり得る。すなわち、分散的パーミュテーションが行われる場合は、一つの基本資源ユニット（例えば、１８個の副搬送波×６個のシンボル）単位でＥ―ＭＢＳチャンネル推定が行われなければならない。しかし、局地的（ｌｏｃａｌｉｚｅｄ）パーミュテーションが行われる場合は、隣接する多数の基本資源ユニット、例えば、３、４又は５個の複数の基本資源ユニット内でのＥ―ＭＢＳチャンネル推定が可能になる。一般に、一つの基本資源ユニット内でチャンネル推定を行った場合は、隣接する複数の基本資源ユニット内でチャンネル推定を行った場合に比べてチャンネル推定性能が低下する。
【００４９】
以下では、マルチプレクシング方法による放送データのための資源割り当て方法について説明する。
【００５０】
＜多重化方式がＦＤＭである場合のＥ―ＭＢＳデータのための資源割り当て方法＞
図１０は、一般的な周波数区画分割方法を示す図である。特に、図１０は、システム帯域幅（ＢＷ）が５ＭＨｚで、ＳＡＣ（Ｓｕｂｂａｎｄ  Ａｌｌｏｃａｔｉｏｎ  Ｃｏｕｎｔ）が３で、ＦＰＣＴ（Ｆｒｅｑｕｅｎｃｙ  Ｐａｒｔｉｔｉｏｎ  Ｃｏｕｎｔ）が２で、ＦＰＳ（Ｆｒｅｑｕｅｎｃｙ  Ｐａｒｔｉｔｉｏｎ  Ｓｉｚｅ）が１２で、ＦＰＳＣ（Ｆｒｅｑｕｅｎｃｙ  Ｐａｒｔｉｔｉｏｎ  Ｓｕｂｂａｎｄ  Ｃｏｕｎｔ）が１である場合を示す。ここで、ＳＡＣは、全体の周波数区画に含まれるサブバンドの個数を意味する。また、ＦＰＣＴは、周波数区画の個数を意味し、ＦＰＳは、各周波数区画に含まれたＰＲＵの個数を意味する。ＦＰＳＣは、ＦＰ０を除いた周波数区画に含まれたサブバンドの個数を意味する。このような周波数区画設定情報は、ＦＰＣ（Ｆｒｅｑｕｅｎｃｙ  Ｐａｒｔｉｔｉｏｎ  Ｃｏｎｆｉｇｕｒａｔｉｏｎ）フィールドを含む放送チャンネルを介して端末に送信される。
【００５１】
図１０を参照すると、段階１で、ＳＡＣ、ＦＰＣＴ、ＦＰＳを用いて全体の周波数帯域をサブバンドとミニバンドに区分する。次に、段階２で、ミニバンドに対してミニバンドパーミュテーションを行う。最後に、段階３で、ＦＰＳＣを用いて周波数区画ＦＰ０とＦＰ１を設定する。
【００５２】
図１０の段階３から分かるように、各周波数区画に割り当てられたＰＲＵは、サブバンドのみ又はミニバンドのみで構成されるだけでなく、サブバンドとミニバンドとの組み合わせで構成される。
【００５３】
Ｅ―ＭＢＳデータのための資源を割り当てる第１の方案として、図１０の段階３が完了した後、Ｅ―ＭＢＳデータに任意の周波数区画の一つ以上のサブバンドを割り当てる。サブバンドをＥ―ＭＢＳデータに割り当てる理由は、上述したように、周波数領域で連続した資源に割り当てるときにチャンネル推定効果が増加するためである。
【００５４】
また、前記任意の周波数区画は、予め定められた（ｐｒｅ―ｒｅｓｅｒｖｅｄ）周波数区画であるか、基地局によって端末にシグナリングされる。ただし、上述した周波数区画分割過程の結果、全てのセルに共通に存在するＦＰ０の各サブバンドを放送データに割り当てることが望ましく、以下では、放送データに優先的にＦＰ０の各サブバンドが割り当てられる場合を仮定する。
【００５５】
図１１は、本発明の実施例によってＥ―ＭＢＳデータにＦＰ０に含まれた各サブバンドを割り当てる方法を例示する図である。特に、図１１は、ＦＰ０の上位２個のサブバンドをＥ―ＭＢＳデータに割り当て、残りの領域（サブバンド及びミニバンド）はユニキャストデータに割り当てられる場合を例示したが、ミニバンド領域は、ユニキャストデータの制御チャンネル（ＡＣＫ／ＮＡＣＫチャンネル）に割り当てられるように設定することもでき、ミニバンド領域を使用しないように設定することもできる。また、ＦＰ０に含まれたミニバンドを他の周波数区画に伝達する方案も考慮することができる。
【００５６】
図１１を参照すると、サブバンドのみがＥ―ＭＢＳデータに割り当てられるので、チャンネル推定を４ＰＲＵ単位で行うことができる。このような資源割り当て方法をサポートするための制御情報は、Ｅ―ＭＢＳデータに割り当てられたサブバンドの開始位置と個数に関する情報を含み、資源割り当てが行われる場合、端末に必須的にシグナリングしなければならない。また、制御情報は、スーパーフレームヘッダ又は放送チャンネルを介して端末に送信されることが望ましい。
【００５７】
さらに、シグナリングオーバーヘッドを減少させるために、Ｅ―ＭＢＳデータにＦＰ０の各サブバンドを割り当てる場合、最下位インデックスのサブバンドから又は最上位インデックスから割り当てるように設定することができる。ただし、最上位インデックスから割り当てる場合、各セルごとにＦＰ０に含まれたサブバンドの総個数に差があり得るので、最下位インデックスのサブバンドから割り当てることが望ましい。この場合、基地局は、端末にサブバンドの個数のみをシグナリングすることができる。
【００５８】
一方、一般に、ＣＲＵに対しては副搬送波パーミュテーションを行わない。しかし、本発明では、追加的なダイバーシティ利得を得るために、図１１に示すように、Ｅ―ＭＢＳデータが割り当てられた各サブバンドに対して副搬送波パーミュテーションを行うことが望ましい。ただし、副搬送波パーミュテーションはセルＩＤを因子として使用するので、Ｅ―ＭＢＳデータが割り当てられた各サブバンドに対して副搬送波パーミュテーションを行うとき、放送データを送信している全てのセルが共通ＩＤ（例えば、Ｅ―ＭＢＳゾーンＩＤ）を有するように設定したり、又はセルＩＤパラメータを０に設定（ｔｕｒｎ―ｏｆｆ）することができる。
【００５９】
図１１では、Ｅ―ＭＢＳデータに割り当てられていない周波数領域に対しては一般的なパーミュテーション過程が行われ、この場合、サブバンド領域に関してはパーミュテーションが行われない。
【００６０】
以上では、一つの周波数区画に含まれた各サブバンドをＥ―ＭＢＳデータに割り当てる方法について説明した。しかし、Ｅ―ＭＢＳデータを送信するために要求されるサブバンドの個数が一つの周波数区画に含まれたサブバンドの個数より多い場合は、複数の周波数区画に含まれた各サブバンドもＥ―ＭＢＳデータのための資源として割り当てることができる。
【００６１】
すなわち、ＦＰ０のサブバンドを全て使用した後、隣接周波数区画のサブバンドを追加的に使用するように設定することもできる。追加的に資源を使用しなければならない場合、各周波数区画に対して最大限に同一個数のサブバンドを使用する方法もあり、周波数区画のインデックスによって順次使用する方法も可能である。以下では、各周波数区画に対して最大限に同一個数のサブバンドを使用する方法についてより詳細に説明する。
【００６２】
図１２は、本発明の実施例によって、複数の周波数区画が存在する場合のＥ―ＭＢＳデータのための資源を割り当てる方法を説明する図である。ただし、図１２では、サブバンドはＰＲＵ単位でない４個のＰＲＵ単位で表現されており、ミニバンドは１個のＰＲＵ単位で表現されている。
【００６３】
図１２の（ａ）を参照すると、Ｅ―ＭＢＳデータのために必要なサブバンドの個数をＫＳＢ，Ｅ―ＭＢＳとし、ＦＰ０に含まれたサブバンドの個数をＫＳＢ，ＦＰ０とする場合、Ｅ―ＭＢＳデータは、まず、ＦＰ０に含まれた最下位インデックスのサブバンドから割り当てられる。もしＫＳＢ，Ｅ―ＭＢＳ＞ＫＳＢ，ＦＰ０である場合、すなわち、Ｅ―ＭＢＳデータのための資源がＦＰ０に含まれたサブバンドのみでは不十分である場合は、残りのＫＳＢ，Ｅ―ＭＢＳ−ＫＳＢ，ＦＰ０個の資源は低いインデックスを有するサブバンドから残りのＦＰごとに一つずつ割り当てられる。例えば、ＦＰＣＴが３である場合、ＦＰ０のサブバンドがＥ―ＭＢＳデータのために全て割り当てられた場合、Ｅ―ＭＢＳデータのための残りの資源は、ＦＰ１の最下位サブバンド及びＦＰ２の最下位サブバンドに割り当てる。
【００６４】
続いて、図１２の（ｂ）及び（ｃ）に示すように、資源をＦＰ１の次のサブバンド及びＦＰ２の次のサブバンドに割り当てる。このような過程をＫＳＢ，Ｅ―ＭＢＳ＝ＫＳＢ，ＦＰ０を満足するまで行い、Ｅ―ＭＢＳデータのための資源を割り当てる。ＦＰ１とＦＰ２のうちＦＰ１が優先するように記述したが、これは説明の便宜のためであって、ＦＰ２が優先するように設定することもできる。
【００６５】
上述したように、Ｅ―ＭＢＳデータに割り当てられた資源領域に対して副搬送波パーミュテーションを適用することによって、ダイバーシティ利得獲得を図ることもできる。一方、Ｅ―ＭＢＳデータを送信するために必要なサブバンドの個数であるＫＳＢ，Ｅ―ＭＢＳは、ＡＡＩ―Ｅ―ＭＢＳ＿ＣＦＧ（Ａｄｖａｎｃｅｄ  Ａｉｒ  Ｉｎｔｅｒｆａｃｅ―Ｅ―ＭＢＳ  Ｃｏｎｆｉｇｕｒａｔｉｏｎ）メッセージに含まれたＥ―ＭＢＳ＿ＳＵＢＢＡＮＤ＿ＩＮＤＩＣＡＴＯＲフィールドによって端末にシグナリングされる。また、ＡＡＩ―Ｅ―ＭＢＳ＿ＣＦＧは、どのサブフレームがＥ―ＭＢＳデータを送信するかを端末に指示するＥ―ＭＢＳ＿ＳＵＢＦＲＡＭＥ＿ＩＮＤＩＣＡＴＯＲをさらに含むことができる。
【００６６】
Ｅ―ＭＢＳデータのための資源を割り当てる第２の方案として、Ｅ―ＭＢＳデータにサブバンドでないミニバンドＣＲＵを割り当てる方案を考慮することができる。
【００６７】
図１３は、本発明の実施例によってＥ―ＭＢＳデータにＦＰ０のミニバンドＣＲＵを割り当てる方法を例示する図である。特に、図１３は、ＦＰ０のサブバンドＣＲＵとミニバンドＤＲＵをユニキャストデータに割り当て、ミニバンドＣＲＵをＥ―ＭＢＳデータに割り当てることを例示する。
【００６８】
図１３を参照すると、上述した場合と異なり、Ｅ―ＭＢＳデータに最下位インデックスのミニバンドＣＲＵから割り当てることができ、最上位インデックスのミニバンドＣＲＵから逆方向に割り当てることもできる。
【００６９】
一方、ユニキャストデータの場合と異なり、Ｅ―ＭＢＳデータに割り当てられた資源領域に対して従来の副搬送波パーミュテーションを適用することができ、追加的に副搬送波パーミュテーションを行う前にミニバンドパーミュテーションを適用し、ダイバーシティ利得をより確保することができる。ミニバンドＣＲＵをＥ―ＭＢＳデータに割り当てる場合、全ての周波数区画に存在するミニバンドＣＲＵの個数を知らせる情報をシグナリングすることが望ましい。これによって、ＦＰ０のミニバンド領域のみをＥ―ＭＢＳデータに割り当てるときに発生しうる資源不足問題を解決することができる。
【００７０】
Ｅ―ＭＢＳデータのための資源を割り当てる第３の方案として、Ｅ―ＭＢＳデータに割り当てられる周波数領域をサブバンドＣＲＵ又はミニバンドＣＲＵのうち一つに限定せず、図１４に示すようにＥ―ＭＢＳデータのための資源を割り当てることができる。
【００７１】
図１４は、本発明の実施例によってＥ―ＭＢＳデータにＦＰ０のサブバンド及びミニバンドＣＲＵにわたった周波数資源を割り当てる方法を例示する図である。この場合、特定周波数区画に含まれた最下位インデックスのＬＲＵ又はＣＲＵからＥ―ＭＢＳデータのための資源を割り当てることもできる。このために、Ｅ―ＭＢＳデータに割り当てられるＬＲＵ（又はＣＲＵ）の個数をシグナリングすることができる。
【００７２】
Ｅ―ＭＢＳデータのための資源を割り当てる第４の方案としては、Ｅ―ＭＢＳデータに割り当てられる全体の周波数帯域又は任意の周波数区画をいずれもＤＲＵに副チャンネル化し、最下位インデックスのＬＲＵ又は最上位インデックスのＬＲＵから一定の個数をＥ―ＭＢＳデータのために割り当てることができる。
【００７３】
一方、ＭＢＳＦＮ（Ｍｕｌｔｉｍｅｄｉａ  Ｂｒｏａｄｃａｓｔ  ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）をサポートするために、Ｅ―ＭＢＳデータが送信されるサブフレームではＣＲＵ／ＤＲＵ区分過程を省略することができる。
【００７４】
＜ＴＤＭである場合のＥ―ＭＢＳデータのための資源割り当て方法＞
次に、Ｅ―ＭＢＳデータとユニキャストデータがＴＤＭで多重化される場合について説明する。
【００７５】
外部パーミュテーション段階である図１０の段階１では、全てのＰＲＵをＰＲＵＳＢ又はＰＲＵＭＢにする方法が可能である。この場合、Ｅ―ＭＢＳのための特定サブフレームのＰＲＵＳＢ又はＰＲＵＭＢは０になり得る。また、段階１まで進行された後、再びＤＲＵ方式で全体の資源に対して内部パーミュテーションを行うことも可能である。
【００７６】
周波数区画が一つ以上で、ＴＤＭで多重化する場合、Ｅ―ＭＢＳデータに周波数再使用因子が１である周波数区画の資源を割り当てる。この場合、全ての周波数区画が同一の長さのＣＰを使用することが望ましい。これは、互いに異なる長さのＣＰを使用する場合、全体の周波数区画を通してＥ―ＭＢＳデータを伝送しなければならないためである。
【００７７】
ここで、Ｅ―ＭＢＳデータとユニキャストデータをＴＤＭで多重化する場合、Ｅ―ＭＢＳデータが送信されるサブフレームでユニキャスト制御情報、特に、アップリンクデータに対するＡＣＫ／ＮＡＣＫチャンネルを割り当てる方法に問題が発生するおそれがある。以下では、Ｅ―ＭＢＳデータが送信されるサブフレームでユニキャストデータに対するＡＣＫ／ＮＡＣＫチャンネルを割り当てる方法について提案する。
【００７８】
本発明に係るＡＣＫ／ＮＡＣＫチャンネル割り当て方法は、最も小さいインデックスのＬＲＵから又は最も大きいインデックスのＬＲＵから連続した任意の個数のＬＲＵをＡＣＫ／ＮＡＣＫチャンネルのための資源として割り当てる。すなわち、Ｅ―ＭＢＳデータとユニキャストデータをＴＤＭで多重化するが、Ｅ―ＭＢＳデータとＡＣＫ／ＮＡＣＫチャンネルはＦＤＭで多重化するハイブリッド形態と見ることができる。
【００７９】
ただし、Ｅ―ＭＢＳサブフレームがＮｏｎ―ＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）に適用されるときは、Ｅ―ＭＢＳデータが送信されるサブフレームがセルＩＤを因子とする関数を用いて副搬送波パーミュテーションを行い、ＡＣＫ／ＮＡＣＫチャンネルのダイバーシティ利得を充分に保障することができる。
【００８０】
しかし、Ｅ―ＭＢＳサブフレームがＭＢＳＦＮに適用されるときは、全てのセルがＥ―ＭＢＳデータが送信されるサブフレームに対して共通ＩＤ（例えば、Ｅ―ＭＢＳゾーンＩＤ）を有するようにしたり、又はセルＩＤパラメータを０に設定（ｔｕｒｎ―ｏｆｆ）して副搬送波パーミュテーションを行うので、一つのセルに特定されたＡＣＫ／ＮＣＡＫチャンネルが他のセルでも受信されるエラーが発生するおそれがある。したがって、ＡＣＫ／ＮＡＣＫチャンネルが割り当てられる資源領域にＣＤＭ（Ｃｏｄｅ―ｄｉｖｉｓｉｏｎ  ｍｕｌｔｉｐｌｅｘｉｎｇ）を適用し、セル間干渉問題を解決することが望ましい。
【００８１】
また、ＡＣＫ／ＮＡＣＫチャンネルに予め定められた資源領域を割り当て、Ｅ―ＭＢＳデータと異なり、共通セルＩＤでない個別的なセルＩＤを用いて副搬送波パーミュテーションを行うように設定することもできる。ここで、予め定められた領域は、周波数の全帯域又は特定周波数区画内で一定に分布されているｘ個のＰＲＵをユニキャストデータのＡＣＫ／ＮＡＣＫチャンネルのための資源領域に予め設定し、残りのＰＲＵはＥ―ＭＢＳデータのための資源領域に設定して具現することができる。この場合、ＡＣＫ／ＮＡＣＫチャンネルに割り当てられるＰＲＵは、各セル間で共通的に適用することができる。
【００８２】
ｘ個のＰＲＵは、開始ＰＲＵインデックスがそのサブフレーム又は特定周波数区画の０番目のＰＲＵになるように設定することができる。また、最後のＰＲＵインデックスがそのサブフレーム又は特定周波数区画の最後のＰＲＵになるように設定することもできる。ｘの値は、ダイバーシティ利得及び周波数効率を考慮した上で、２〜４のうち一つの値に設定することが望ましい。
【００８３】
Ｎｏｎ―ＭＢＳＦＮサブフレームとの副チャンネル化の類似性を最大限に保障するために、ＭＢＳＦＮサブフレームの副チャンネル化は次のように実行することができる。ＭＢＳＦＮサブフレームで、サブバンド区画とミニバンドパーミュテーションはＮｏｎ―ＭＢＳＦＮサブフレームと同一に行う。すなわち、ＤＳＡＣ（Ｄｏｗｎｌｉｎｋ  Ｓｕｂｂａｎｄ  Ａｌｌｏｃａｔｉｏｎ  Ｃｏｕｎｔ）を通してシグナリングされるＫＳＢを同一に適用し、サブバンド区画とミニバンドパーミュテーションを行う。また、サブバンド区画過程は省略し、全体の周波数帯域に対してミニバンドパーミュテーションを行うこともできる。これについてより詳細に説明する。
【００８４】
図１５は、本発明の実施例によってＥ―ＭＢＳデータが送信されるサブフレームでＡＣＫ／ＮＡＣＫチャンネルのための資源領域を割り当てる方法を示す図である。特に、全体のＰＲＵの個数がＮ＿ＰＲＵで、Ｅ―ＭＢＳデータのための資源領域にｘ個のＰＲＵが割り当てられる場合を仮定する。ここで、ｘは、ＰＲＵ、ミニバンド又はサブバンドの個数としてシグナリングされる。
【００８５】
図１５を参照すると、全体の周波数帯域の１番目のサブバンドインデックスからｘ個だけのＰＲＵをＥ―ＭＢＳデータのために割り当てる。残りのＮ＿ＰＲＵ―ｘ個のＰＲＵをユニキャストデータに対するＡＣＫ／ＮＡＣＫチャンネルのために割り当てる。ミニバンドパーミュテーションと副搬送波パーミュテーションは、ｘ個だけのＰＲＵに対して行い、Ｅ―ＭＢＳのために使用する。このとき、ｘ個だけのＰＲＵは、Ｅ―ＭＢＳゾーンＩＤを使用して副搬送波パーミュテーションを行うことが望ましい。
【００８６】
残りのＮ＿ＰＲＵ―ｘ個のＰＲＵは、副搬送波パーミュテーションを行うこともできる。このとき、Ｎ＿ＰＲＵ―ｘ個のＰＲＵは、個別的なセルＩＤを用いて副搬送波パーミュテーションを行うことが望ましい。ｘ又はＮ＿ＰＲＵ―ｘは、各セルで共通な値であってもよく、予め設定された値に固定又はシグナリングされる値であってもよい。
【００８７】
また、ユニキャストデータのＡＣＫ／ＮＡＣＫチャンネルのための資源領域が周波数帯域の前に位置し、Ｅ―ＭＢＳデータのための資源領域が周波数帯域の後に位置することもある。上述した副チャンネル化過程は、全体の周波数帯域でない特定周波数区画のみに対して行うものとして設定することもできる。
【００８８】
ユニキャストデータのＡＣＫ／ＮＡＣＫチャンネルのための資源領域に関する情報は、スーパーフレームヘッダ、Ｎｏｎ―ｕｓｅｒ  ｓｐｅｃｉｆｉｃ  Ａ―ＭＡＰ、Ｅｘｔｅｎｄｅｄ  ｎｏｎ―ｕｓｅｒ  ｓｐｅｃｉｆｉｃ  Ａ―ＭＡＰ又はＡｓｓｉｇｎｍｅｎｔ  Ａ―ＭＡＰを通してシグナリングし、ｘビットだけのビットマップでフィールドを構成することが望ましい。一方、予め設定された領域に使用されるＰＲＵの個数であるｘの値のみをシグナリングする方法も可能であり、予め設定された領域に使用される各ＰＲＵ間の間隔情報を共にシグナリングすることも可能である。
【００８９】
図１６は、本発明の一実施例に係る送信機及び受信機を例示するブロック図である。ダウンリンクでは、送信機１６１０が基地局の一部で、受信機１６５０が端末の一部である。アップリンクでは、送信機１６１０が端末の一部で、受信機１６５０が基地局の一部である。
【００９０】
送信機１６１０では、送信（ＴＸ）データ及びパイロットプロセッサ１６２０は、データ（例えば、トラフィックデータ及びシグナリング）をエンコーディング、インターリービング及びシンボルマッピングすることによって各データシンボルを生成する。また、パイロットプロセッサ１６２０は、各パイロットシンボルを生成し、各データシンボル及び各パイロットシンボルを多重化する。
【００９１】
変調器１６３０は、無線接続方式によって伝送シンボルを生成する。無線接続方式は、ＦＤＭＡ、ＴＤＭＡ、ＣＤＭＡ、ＳＣ―ＦＤＭＡ、ＭＣ―ＦＤＭＡ、ＯＦＤＭＡ又はこれらの組み合わせを含む。また、変調器１６３０は、本発明の実施例で例示した多様なパーミュテーション方法を用いてデータが周波数領域で分散されて伝送されるようにする。無線周波数（Ｒａｄｉｏ  Ｆｒｅｑｕｅｎｃｙ；ＲＦ）モジュール１６３２は、前記伝送シンボルを処理（例えば、アナログ変換、増幅、フィルタリング及び周波数アップリンク変換）することによってアンテナ１６３４を介して伝送されるＲＦ信号を生成する。
【００９２】
受信機１６５０で、アンテナ１６５２は、送信機１６１０から伝送された信号を受信してＲＦモジュール１６５４に提供する。ＲＦモジュール１６５４は、受信された信号を処理（例えば、フィルタリング、増幅、周波数ダウンリンク変換、デジタル化）することによって各入力サンプルを提供する。
【００９３】
復調器１６６０は、各入力サンプルを復調し、データ値及びパイロット値を提供する。チャンネル推定器１６８０は、受信された各パイロット値に基づいてチャンネル推定値を誘導する。また、復調器１６６０は、チャンネル推定値を使用して受信された各データ値にデータ検出（又は等化）を行い、送信機１６１０のための各データシンボル推定値を提供する。また、復調器１６６０は、本発明の実施例で例示した多様なパーミュテーション方法に対する逆動作を行い、周波数領域及び時間領域で分散されたデータを元の順に再整列することができる。Ｒｘデータプロセッサ１６７０は、各データシンボル推定値をシンボルデマッピング、デインターリービング及びデコーディングし、デコーディングされたデータを提供する。
【００９４】
一般に、受信機１６５０での復調器１６６０及びＲｘデータプロセッサ１６７０による処理は、送信機１６１０での変調器１６３０及びＴｘデータ及びパイロットプロセッサ１６２０による処理とそれぞれ相互補完される。
【００９５】
制御器／プロセッサ１６４０及び１６９０は、それぞれ送信機１６１０及び受信機１６５０に存在する多様な処理モジュールの動作をモニタリング及び制御する。メモリ１６４２及び１６９２は、それぞれ送信機１６１０及び受信機１６５０のための各プログラムコード及びデータを格納する。
【００９６】
図１６で例示したモジュールは、説明のためのもので、送信機及び／又は受信機は、必要なモジュールをさらに含むことができ、一部のモジュール／機能は、省略されたり、又は互いに異なるモジュールに分離されてもよく、二つ以上のモジュールが一つのモジュールに統合されてもよい。
【００９７】
以上説明した各実施例は、本発明の各構成要素と各特徴を所定形態で結合したものである。各構成要素又は特徴は、別途の明示的な言及がない限り、選択的なものとして考慮されなければならない。各構成要素又は特徴は、他の構成要素や特徴と結合していない形態で実施され得る。また、一部の構成要素及び／又は各特徴を結合して本発明の実施例を構成することも可能である。本発明の各実施例で説明する各動作の順序は変更可能である。一つの実施例の一部の構成や特徴は、他の実施例に含まれたり、又は他の実施例の対応する構成又は特徴に取り替えられる。特許請求の範囲で明示的な引用関係のない各請求項を結合して実施例を構成したり、出願後の補正によって新しい請求項を含ませることが可能であることは自明である。
【００９８】
本文書で、本発明の各実施例は、主に端末と基地局との間のデータ送受信関係を中心にして説明した。本文書で基地局によって行われると説明した特定動作は、場合によってはその上位ノードによって行われる。すなわち、基地局を含む多数のネットワークノードからなるネットワークで端末との通信のために行われる多様な動作は、基地局又は基地局以外の他のネットワークノードによって行われ得る。「基地局」は、固定局、Ｎｏｄｅ  Ｂ、ｅＮｏｄｅ  Ｂ（ｅＮＢ）、アクセスポイントなどの他の用語に取り替えられる。また、「端末」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられる。
【００９９】
本発明に係る実施例は、多様な手段、例えば、ハードウェア、ファームウェア、ソフトウェア又はそれらの結合などによって具現される。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【０１００】
ファームウェアやソフトウェアによる具現の場合、本発明の一実施例は、以上説明した機能又は各動作を行うモジュール、手順又は関数などの形態で具現される。ソフトウェアコードは、メモリユニットに格納されてプロセッサによって駆動される。前記メモリユニットは、前記プロセッサの内部又は外部に位置し、既に公知となった多様な手段によって前記プロセッサとデータを取り交わすことができる。
【０１０１】
本発明が本発明の特徴を逸脱しない範囲で他の特定の形態で具体化され得ることは、当業者にとって自明である。したがって、上述した詳細な説明は、全ての面で制限的に解釈されてはならず、例示的なものとして考慮されなければならない。本発明の範囲は、添付された請求項の合理的な解釈によって決定されなければならず、本発明の等価的範囲内での全ての変更は本発明の範囲に含まれる。
【産業上の利用可能性】
【０１０２】
本発明は、無線通信システム、具体的に、無線通信システムでのマルチキャスト及び／又はブロードキャストサービスデータのための資源割り当て方法及びそのための装置に適用される。
【図１】
2011529320.tif 000004
【図１２】
2011529320.tif 000005
【図２】
2011529320.tif 000006
【図３】
2011529320.tif 000007
【図４】
2011529320.tif 000008
【図５】
2011529320.tif 000009
【図６】
2011529320.tif 000010
【図７】
2011529320.tif 000011
【図８】
2011529320.tif 000012
【図９】
2011529320.tif 000013
【図１０】
2011529320.tif 000014
【図１１】
2011529320.tif 000015
【図１３】
2011529320.tif 000016
【図１４】
2011529320.tif 000017
【図１５】
2011529320.tif 000018
【図１６】
2011529320.tif 000019
【手続補正書】
【提出日】平成23年1月26日(2011.1.26)
【手続補正１】
【補正対象書類名】明細書
【補正対象項目名】００１１
【補正方法】変更
【補正の内容】
【００１１】
また、前記のような課題を解決するための本発明の他の実施例は、無線通信システムにおける端末であって、基地局から複数の周波数区画を通してＭＢＳデータを受信し、前記ＭＢＳデータを受信するために要求されるサブバンドの個数に関する情報（ＫＳＢ，Ｅ―ＭＢＳ）を受信する受信モジュールと、前記複数の周波数区画のうち特定周波数区画に含まれた一つ以上のサブバンドから前記ＭＢＳデータを読むプロセッサとを含み、前記プロセッサは、前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読むことを特徴とする。
（項目１）
無線通信システムで基地局がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データに資源を割り当てる方法であって、
ダウンリンク周波数帯域を複数の周波数区画に分割する段階と、
前記ＭＢＳデータに前記複数の周波数区画のうち特定周波数区画の一つ以上のサブバンドを割り当てる段階と、
前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる段階と、を含むＭＢＳデータのための資源割り当て方法。
（項目２）
前記特定周波数区画は、最下位インデックスを有する、項目１に記載のＭＢＳデータのための資源割り当て方法。
（項目３）
前記特定周波数区画の前記一つ以上のサブバンドを割り当てる段階は、
前記特定周波数区画の最下位インデックスを有するサブバンドからサブバンドのインデックス順に、前記ＭＢＳデータに前記一つ以上のサブバンドを割り当てる段階を含む、項目１に記載のＭＢＳデータのための資源割り当て方法。
（項目４）
前記残りの周波数区画に含まれた前記一つ以上のサブバンドを一つのサブバンド単位で割り当てる段階は、
前記残りの周波数区画のインデックス順に前記残りの周波数区画に含まれた最下位インデックスを有する各サブバンドから、前記一つ以上のサブバンドを割り当てる段階を含む、項目１に記載のＭＢＳデータのための資源割り当て方法。
（項目５）
前記ＫＳＢ，Ｅ―ＭＢＳは、ＡＡＩ―Ｅ―ＭＢＳ＿ＣＦＧに含まれたＥ―ＭＢＳ＿ＳＵＢＢＡＮＤ＿ＩＮＤＩＣＡＴＯＲによって端末に伝送される、項目１に記載のＭＢＳデータのための資源割り当て方法。
（項目６）
各周波数区画で前記ＭＢＳデータのために前記割り当てられた各サブバンドに副搬送波パーミュテーションを行う段階をさらに含む、項目１に記載のＭＢＳデータのための資源割り当て方法。
（項目７）
ダウンリンク周波数帯域を複数の周波数区画に分割し、マルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データに前記複数の周波数区画のうち特定周波数区画の一つ以上のサブバンドを割り当てるプロセッサと、
前記割り当てられた一つ以上のサブバンドを用いて前記ＭＢＳデータを送信する送信モジュールと、を含み、
前記プロセッサは、
前記ＭＢＳデータを送信するために必要なサブバンドの個数（ＫＳＢ，Ｅ―ＭＢＳ）が前記特定周波数区画のサブバンドの個数より大きい場合、前記ＭＢＳデータに残りの周波数区画に含まれた一つ以上のサブバンドを一つのサブバンド単位で割り当てる、無線通信システムにおける基地局。
（項目８）
無線通信システムで端末がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データを受信する方法であって、
前記ＭＢＳデータを送信するために要求されるサブバンドの個数に関する情報（ＫＳＢ，Ｅ―ＭＢＳ）を受信する段階と、
前記受信された情報を用いて前記ＭＢＳデータを受信する段階と、を含み、
複数の周波数区画のうち特定周波数区画に含まれた一つ以上のサブバンドから前記ＭＢＳデータを読み、
前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読む、ＭＢＳデータ受信方法。
（項目９）
前記特定周波数区画は、最下位インデックスを有する、項目８に記載のＭＢＳデータ受信方法。
（項目１０）
前記ＭＢＳデータは、前記特定周波数区画の最下位インデックスサブバンドから読まれる、項目８に記載のＭＢＳデータ受信方法。
（項目１１）
前記ＭＢＳデータは、前記残りの周波数区画のインデックス順に、前記残りの周波数区画に含まれた最下位インデックスを有する各サブバンドから一つのサブバンド単位で読まれる、項目８に記載のＭＢＳデータ受信方法。
（項目１２）
前記ＫＳＢ，Ｅ―ＭＢＳは、ＡＡＩ―Ｅ―ＭＢＳ＿ＣＦＧに含まれたＥ―ＭＢＳ＿ＳＵＢＢＡＮＤ＿ＩＮＤＩＣＡＴＯＲによって端末に受信される、項目８に記載のＭＢＳデータ受信方法。
（項目１３）
基地局から複数の周波数区画を通してマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データを受信し、前記ＭＢＳデータを受信するために要求されるサブバンドの個数に関する情報（ＫＳＢ，Ｅ―ＭＢＳ）を受信する受信モジュールと、
前記複数の周波数区画のうち特定周波数区画に含まれた一つ以上のサブバンドから前記ＭＢＳデータを読むプロセッサと、を含み、
前記プロセッサは、
前記ＫＳＢ，Ｅ―ＭＢＳが前記特定周波数区画のサブバンドの個数より大きい場合、残りの周波数区画に含まれた一つ以上のサブバンドから、一つのサブバンド単位で前記ＭＢＳデータを読む、無線通信システムにおける端末。
【手続補正２】
【補正対象書類名】特許請求の範囲
【補正対象項目名】全文
【補正方法】変更
【補正の内容】
【特許請求の範囲】
【請求項１】
無線通信システムで基地局がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データのためのサブバンドを割り当てる方法であって、
第１の周波数区画が使用不可能な場合、少なくとも２個の第２の周波数区画に前記ＭＢＭＳデータのための各サブバンドを均等に割り当てる段階を含み、
前記第１の周波数区画と前記少なくとも２個の第２の周波数区画は、一つの周波数帯域から区分されることを特徴とする、ＭＢＳデータのためのサブバンド割当方法。
【請求項２】
前記第１の周波数区画は、最下位インデックスを有する、請求項１に記載のＭＢＳデータのためのサブバンド割当方法。
【請求項３】
前記各サブバンドを割り当てる段階は、
前記少なくとも２個の第２の周波数区画のそれぞれの最下位インデックスを有するサブバンドからサブバンドのインデックス順に、前記ＭＢＳデータのための各サブバンドを割り当てる段階を含む、請求項１に記載のＭＢＳデータのためのサブバンド割当方法。
【請求項４】
前記各サブバンドを割り当てる段階は、
前記少なくとも２個の第２の周波数区画のうち最下位インデックスを有する周波数区画から周波数区画のインデックス順に、前記ＭＢＳデータのための各サブバンドを割り当てる段階を含む、請求項３に記載のＭＢＳデータのためのサブバンド割当方法。
【請求項５】
前記ＭＢＳデータのために割り当てられた各サブバンドに副搬送波パーミュテーションを行う段階をさらに含む、請求項１に記載のＭＢＳデータのためのサブバンド割当方法。
【請求項６】
第１の周波数区画が使用不可能な場合、少なくとも２個の第２の周波数区画にマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データのための各サブバンドを均等に割り当てるプロセッサと、
前記割り当てられた各サブバンドを用いて前記ＭＢＳデータを送信する送信モジュールと、を含み、
前記第１の周波数区画と前記少なくとも２個の第２の周波数区画は、一つの周波数帯域から区分されることを特徴とする、無線通信システムにおける基地局。
【請求項７】
無線通信システムで端末がマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データのためのサブバンドを通して前記ＭＢＳデータを受信する方法であって、
少なくとも２個の第２の周波数区画に割り当てられた前記各サブバンドを通して前記ＭＢＳデータを受信する段階を含み、
第１の周波数区画が使用不可能な場合、前記ＭＢＳデータのための各サブバンドは、前記少なくとも２個の第２の周波数区画に均等に割り当てられ、
前記第１の周波数区画と前記少なくとも２個の第２の周波数区画は、一つの周波数帯域から区分されることを特徴とする、ＭＢＳデータ受信方法。
【請求項８】
前記第１の周波数区画は、最下位インデックスを有する、請求項７に記載のＭＢＳデータ受信方法。
【請求項９】
前記ＭＢＳデータは、前記少なくとも２個の第２の周波数区画のそれぞれの最下位インデックスを有するサブバンドからサブバンドのインデックス順に読まれることを特徴とする、請求項７に記載のＭＢＳデータ受信方法。
【請求項１０】
前記ＭＢＳデータは、前記少なくとも２個の第２の周波数区画のうち最下位インデックスを有する周波数区画から周波数区画のインデックス順に読まれることを特徴とする、請求項９に記載のＭＢＳデータ受信方法。
【請求項１１】
基地局から少なくとも２個の第２の周波数区画に割り当てられた各サブバンドを通してマルチキャスト及び／又はブロードキャストサービス（Ｍｕｌｔｉｃａｓｔ  ａｎｄ／ｏｒ  Ｂｒｏａｄｃａｓｔ  Ｓｅｒｖｉｃｅ；ＭＢＳ）データを受信する受信モジュールを含み、
第１の周波数区画が使用不可能な場合、前記ＭＢＳデータのための各サブバンドは、前記少なくとも２個の第２の周波数区画に均等に割り当てられ、
前記第１の周波数区画と前記少なくとも２個の第２の周波数区画は、一つの周波数帯域から区分されることを特徴とする、無線通信システムにおける端末。
【国際調査報告】
2011529320.tif 000020
2011529320.tif 000021
2011529320.tif 000022